(57)【要約】【課題】炎検知器のような火災検知器の試験器であって、検査員の検査時の負担をできるだけ軽減できる試験器を得る。【解決手段】本発明に係る火災感知器の試験器は、壁面に設置された火災検知器２６に模擬的な試験光を投射して火災検知器２６の検知動作を試験する火災検知器の試験器１であって、試験光を発光する装置を内蔵した筐体３と、筐体３に設けられた取っ手５と、筐体３を火災検知器２６が設置された壁面２５に一時的に保持させる保持手段として電磁石２３を設けたことを特徴とするものである。【選択図】  図１
2011209894.tif 000002
【特許請求の範囲】
【請求項１】
壁面に設置された火災検知器に模擬的な試験光を投射して前記火災検知器の検知動作を試験する火災検知器の試験器であって、
試験光を発光する装置を内蔵した筐体と、該筐体に設けられた取っ手と、前記筐体を前記火災検知器が設置された壁面又は火災検知器に一時的に保持させる保持手段を設けたことを特徴とする火災検知器の試験器。
【請求項２】
前記保持手段は、前記筐体の前面側に電磁力を付与する電磁石と、該電磁石への通電を入り切りするスイッチとを備えてなることを特徴とする請求項１記載の火災検知器の試験器。
【請求項３】
前記保持手段は、前記火災検知器の前面又は検知面に吸着する吸盤であり、該吸盤の一部に取り外し時に作動させる摘み部を備えていることを特徴とする請求項１又は２記載の火災検知器の試験器。
【請求項４】
前記保持手段は、前記壁面側に設けられたフックが挿入される孔部を前記筐体に形成してなるものであることを特徴とする請求項１乃至３のいずれか一項に記載の火災検知器の試験器。
【請求項５】
前記保持手段は、前記壁面側に設けられた挿入孔に挿入される支柱を前記筐体に形成したものであることを特徴とする請求項１乃至４のいずれか一項に記載の火災検知器の試験器。
【発明の詳細な説明】
【技術分野】
【０００１】
本発明は、火災検知器の試験器に関する。
【背景技術】
【０００２】
火災検知器の一つとして炎検知器がある。炎検知器の一つの設置態様としてトンネルの側壁に例えば２５メートル置きに設置される。このような炎検知器は、正常に機能するかどうかを定期的に検査する必要がある。そのために使用する機器として炎検知の試験器がある。炎検知器の試験器の一例が特許文献１に記載されている。
【０００３】
特許文献１に記載された炎検知器の試験器は、本体と、横に細長い角箱型に形成された筐体と、筐体の背面の上部寄りに設けられた取っ手を備えている。
本体の前面側には、検査対象となる検知器の受光ガラスと相似形に形成された開口部が形成され、この開口部から炎検知器を試験するための試験用光源を検知器に向けて照射できるようになっている。
【０００４】
上記のような試験器を用いて炎検知器の動作試験を行うには、図７に示すように、検査員５０が試験器５１を携帯してトンネル５３内に入り、各炎検知器５５に試験器５１の正面を被せるようにして、試験器５１を作動させ、約１０秒間保持して炎検知器５５が作動するかどうかを確認する。そして、トンネル５３内に設置されている多数の炎検知器５５を順番にテストして回るというものである。
【先行技術文献】
【特許文献】
【０００５】
【特許文献１】特開２００２−２９８２３７号公報
【発明の概要】
【発明が解決しようとする課題】
【０００６】
一般に炎検知器は、炎を検知する検知部分の周囲が鋼板からなる化粧板で覆われ、トンネル壁面の目線より高い位置に設置されている。そのため検査員は、試験器を炎検知器の設置位置である目線よりも高い位置で保持し、保持した状態で試験器の電源を入れて、外光が入らないように試験器を炎検知器に密着させて炎検知器が動作するまでの所定時間試験器を保持しなければならない。
しかし、試験器は１．５Kgほどの重量があり、しかも保持する位置が目線よりも高い位置であることから、重量物を高い位置に所定時間保持する必要があり検査員の負担になっている。
【０００７】
本発明はかかる問題点を解決するためになされたものであり、炎検知器のような火災検知器の試験器であって、検査員の検査時の負担をできるだけ軽減できる試験器を得ることを目的としている。
【課題を解決するための手段】
【０００８】
（１）本発明の火災検知器の試験器は、壁面に設置された火災検知器に模擬的な試験光を投射して前記火災検知器の検知動作を試験する火災検知器の試験器であって、
試験光を発光する装置を内蔵した筐体と、該筐体に設けられた取っ手と、前記筐体を前記火災検知器が設置された壁面又は火災検知器に一時的に保持させる保持手段を設けたことを特徴とするものである。
【０００９】
（２）また、上記（１）に記載のものにおいて、前記保持手段は、前記筐体の前面側に電磁力を付与する電磁石と、該電磁石への通電を入り切りするスイッチとを備えてなることを特徴とするものである。
【００１０】
（３）また、上記（１）又は（２）に記載のものにおいて、前記保持手段は、前記火災検知器の前面又は検知面に吸着する吸盤であり、該吸盤の一部に取り外し時に作動させる摘み部を備えていることを特徴とするものである。
【００１１】
（４）また、上記（１）乃至（３）のいずれかに記載のものにおいて、前記保持手段は、前記壁面側に設けられたフックが挿入される孔部を前記筐体に形成してなるものであることを特徴とするものである。
【００１２】
（５）また、上記（１）乃至（４）のいずれかに記載のものにおいて、前記保持手段は、前記壁面側に設けられた挿入孔に挿入される支柱を前記筐体に形成したものであることを特徴とするものである。
【発明の効果】
【００１３】
本発明においては、試験光を発光する装置を内蔵した筐体と、該筐体に設けられた取っ手と、前記筐体を前記火災検知が設置された壁面側に一時的に保持させる保持手段を火災検知器の試験器に設けたことにより、火災検知器の検査中に保持手段が試験器を保持するので検査員が試験器を保持する必要がなく、手を試験器から放すことができ、検査作業の負担の軽減と作業性の向上を実現することができる。
【図面の簡単な説明】
【００１４】
【図１】本発明の一実施の形態に係る試験器の正面図である。
【図２】本発明の一実施の形態に係る試験器の背面側の斜視図である。
【図３】本発明の一実施の形態に係る試験器を用いた検査方法の説明図である。
【図４】本発明の実施の形態２に係る試験器を用いた検査方法の説明図である。
【図５】本発明の実施の形態３に係る試験器を用いた検査方法の説明図である。
【図６】本発明の実施の形態４に係る試験器を用いた検査方法の説明図である。
【図７】炎検知器の従来の試験方法の説明図である。
【発明を実施するための形態】
【００１５】
［実施の形態１］
本発明の一実施の形態は、火災検知器の一つの態様である炎検知器の試験器である。
本実施の形態に係る炎検知器の試験器１は、図１、図２に示すように、外形が直方体状の筐体３を備えてなり、背面側には検査員が保持する取っ手５が設けられている。筐体３の前面側には楕円状の開口部７が設けられ、開口部７内は凹陥して、その内部の中央には遮光板９と、遮光板９の左右には投射窓１１が設けられ、投射窓１１の内側には試験用光源１２が設置されている。試験光源１２は、炎検知器に模擬的な試験光を投射して、炎検知器の動作を試験させるものである。
【００１６】
開口部７の周縁部には、ラバープレート１５が設置されており、壁面との密着性を確保できるようになっている。
筐体３の下部にはアクリル樹脂で形成された光屈折機能を有する光伝達材１７が設置されており、炎検知器に設けられた動作確認灯の点灯を筐体３の外部から確認できるようになっている。
筐体３の背面側には試験光を切換える切換スイッチ１９や試験光源１２を点灯させる電源スイッチ２１などの各種のスイッチ類が設置されている。
また、筐体３の前面側の四隅には、本発明の保持手段の一態様としての電磁石２３が設置されている。この電磁石２３は、トンネルの壁面に設けられた化粧板２５と接着する面が、試験器１の前面に設けられたラバープレート１５と面一に設けられている。さらに筐体３の背面には電磁石２３に電流を流して電磁石２３を起動させたり、電流を遮断して電磁石２３の起動を停止させたりする。つまり電磁石への通電を入り切りする電磁石スイッチ２４が取っ手５に設けられている。電磁石スイッチ２４によって起動された電磁石２３は、試験器１をトンネル壁面と平行な位置で保持できる程度の電磁力を筐体の前面に付与している。そして、この電磁力によって１．５ｋｇほどの重量がある試験器１をトンネルの壁面に設けられた炎検知器２６と密着した状態で保持できる。
【００１７】
上記のように構成された本実施の形態の試験器１の動作を、検査員の検査作業に関連付けて説明する。
検査員は、試験器１の取っ手５を持って、図３に示すように、試験器１の開口部７をトンネルの壁面に設置された炎検知器２６に被せるようにしてラバープレート１５を、壁面の化粧板２５に押し付ける。その状態で電磁石スイッチ２４をＯＮにして、電磁石２３を起動させる。電磁石２３を起動させることで、試験器１をトンネル壁面の化粧板２５に吸着させることができる。試験器１を化粧板に吸着させた状態で、検査員は試験器１から手を放すことができ、背面側のスイッチ類の操作を行って、試験光源１２を点灯させる。
このように、電磁石２３を起動させているときには、試験器１は電磁石２３の電磁力で化粧板２５に吸着して保持されているので、検査員は取っ手５から手を外すことができ、これによって検査員の負担を軽減させることができる。また、取っ手５から手を放すことができることから、筐体３の背面側にあるスイッチ類の操作も円滑に行うことができる。スイッチ類の操作を行い、試験光源１２が試験光を投射すると、炎検知器２６は試験光を火災と判断し、火災信号を発信すると共に、炎検知器２６に設けられた動作確認灯が点灯する。そして、この動作確認灯が光伝達材１７によって外部に導かれ、この動作確認灯の光を検査員が目視によって確認することで、炎検知器が動作しているかを試験している。
【００１８】
光伝達材１７によって炎検知器２６の動作確認灯の点灯が確認されると、検査員は取っ手５を保持して、電磁石スイッチ２４をＯＦＦすることで、試験器１を容易に取り外すことができる。そして、検査員は同様の検査を他の炎検知器２６について順次行う。
【００１９】
以上のように、本実施の形態の試験器１によれば、炎検知器２６の検査中に検査員が試験器１から手を放すことができ、検査作業の負担の軽減と作業性の向上を実現することができる。
【００２０】
［実施の形態２］
本発明の実施の形態２を図４に基づいて説明する。
本実施の形態の火災感知器の試験器２７は、試験器２７を壁面２５側に保持させる保持手段として、実施の形態１の電磁石２３に代えて吸盤２８を用いたものであり、その他の構成は実施の形態１と同様である。吸盤２８は、開口部７の周縁部の全周に亘って設ける。吸盤２８は、炎検知器２６の前面又はガラス面２６ａに吸着させるようにする。このガラス面２６ａは、炎検知器２６の内部に設けられた図示しない炎検出部を傷や汚れから守るもので、化粧板２５より突出するように形成されている。
なお、吸盤２８の周縁部における背面側（吸着面と反対面側）の一部に摘み部２９を設け、取外し時に作動させる、つまりこの摘み部２９を引っ張ることで吸盤２８をガラス面２６ａから容易に取外しできるようにするのが好ましい。
【００２１】
本実施の形態の試験器２７によれば、実施の形態１と同様に、炎検知器２６の検査中に検査員の手を開放することができ、検査作業の負担の軽減と作業性の向上を実現することができる。
また、本実施の形態においては、吸盤２８が試験器２７の開口部７の全周に亘って設けられているので、吸盤２８が開口部７の周囲を遮光する機能を有し、外光の悪影響を防止できる。
【００２２】
［実施の形態３］
本発明の実施の形態３を図５に基づいて説明する。
本実施の形態の炎検知器の試験器３０は、試験器３０を壁面２５側に保持させる保持手段として、実施の形態１の電磁石２３に代えて、壁面２５側にフック３１を設けると共に試験器３０側にフック３１が挿入可能な孔部３３を設けたものであり、その他の構成は実施の形態１と同様である。
壁面に設けられた化粧板２５側に設けるフック３１は、例えば、道路側に向かって円弧を描くように突出している。これに対応するように、試験器３０側の孔部３３も、試験器３０の前面の上部に、円弧状の孔が形成されており、この孔部の全長はフック３１と同じかそれ以上の長さである。そして、試験器３０の前面上部に形成された孔部３３にフック３１を挿入すると、試験器３０の前面下部は、化粧板２５に当接する。また、フック３１の個数とそれに対応する孔部３３はそれぞれ一対に限定される必要はなく、複数対設けても良い。また、フック３１の形状は円弧に限定される必要はなく、直線状の棒や波状の平板であっても良い。
なお、試験器３０の開口部７の上側をフック３１で止めるのみでは、試験器３０の下部が不安定になる場合には、試験器３０の下部に壁面２５に係止する係止部を設け、筐体３が壁面２５から離れないように筐体３の動きを規制するのが好ましい。
【００２３】
本実施の形態の試験器３０によれば、実施の形態１と同様に、炎検知器２６の検査中に検査員の手を開放することができ、検査作業の負担の軽減と作業性の向上を実現できる。
また、本実施の形態においては、壁面２５に設置したフック３１によって試験器３０を保持するようにしたので、フック３１の位置が予め決まっていることから、試験器３０を常に正しい位置に保持させることができる。
【００２４】
［実施の形態４］
本発明の実施の形態４を図６に基づいて説明する。
本実施の形態の炎検知器の試験器３４は、試験器３４を壁面２５側に保持させる手段として、実施の形態１の電磁石２３に代えて、炎検知器側に挿入孔３５を設けると共に試験器３４側に挿入孔３５に挿入可能な支柱３７を設け、該支柱３７を挿入孔３５に挿入することによって試験器３４を壁面２５に保持させるというものであり、その他の構成は実施の形態１と同様である。
支柱３７は試験器３４の筐体３の前面側の四隅に前面側に突出するよう設け、炎検知器２６側には支柱３７に対応する位置に支柱３７の外径とほぼ同じ内径かつ支柱３７の全長と同じ長さの挿入穴３５を設けるようにする。
なお、支柱３７やこれに対応する挿入孔３５の位置や数は上記の例に限定されるものではなく、支柱３７を挿入孔３５に挿入して試験器３４を壁面２５に保持できる態様であれば種々の態様を含む。例えば、支柱３７の位置と数に関して言えば、筐体３の上辺の両端に２本設けるものや、筐体３の上辺と下辺の中央部に各１箇所設けるものや、筐体３の対角線上に２箇所設けるものであってもよい。
【００２５】
本実施の形態の試験器３４によれば、実施の形態１と同様に、炎検知器２６の検査中に検査員の手を開放することができ、検査作業の負担の軽減と作業性の向上を実現できる。
また、本実施の形態においては、壁面２５に設けた挿入孔３５に支柱３７を挿入することによって試験器３４を保持するようにしたので、挿入孔３５の位置が予め決まっていることから、試験器３４を常に正しい位置に保持させることができる。
【００２６】
上記の実施の形態１〜４においては、各保持手段を単独で用いる態様を示したが、本発明はこれに限られるものではなく、実施の形態１で示した電磁石２３に加えて、補助的に実施の形態２の吸盤２８や、実施の形態３のフック３１や、実施の形態４の「挿入孔３５と支柱３７」を用いるようにしてもよい。電磁石２３とフック３１、あるいは電磁石２３と「挿入孔３５と支柱３７」を用いる場合には、保持力は電磁石２３の吸着力で賄うようにして、フック３１や、「挿入孔３５と支柱３７」は位置決めとして機能させるようにしてもよい。
また、実施の形態２〜４の組み合わせの他の態様としては、実施の形態２の吸盤２８と実施の形態３のフック３１または実施の形態４の「挿入孔３５と支柱３７」の組み合わせも可能である。この場合にも、保持力は吸盤２８の吸着力で賄うようにしてフック３１や、「挿入孔３５と支柱３７」は位置決めとして機能させるようにしてもよい。
また、電磁石の代わりに永久磁石を用いても良い。
【００２７】
なお、上記の実施の形態では炎検知器の一態様として炎検知器２６を例に挙げたが本発明の対象としている炎検知器は炎検知器２６に限られず、壁面２５に設置されて検査が必要とされるものであれば炎検知器以外のものも含む。
【符号の説明】
【００２８】
１  試験器                  ３  筐体                  ５  取っ手
７  開口部                  ９  遮光板              １１  投射窓
１２  試験用光源            １３  第２投射窓          １４  投射開始用光源
１５  ラバープレート        １７  光伝達材            １９  機種切換スイッチ
２１  電源スイッチ          ２３  電磁石              ２４  電磁石スイッチ
２５  壁面                  ２６  炎検知器            ２６ａ  ガラス面
２７  試験器                ２８  吸盤                ２９  摘み部
３０  試験器                ３１  フック              ３３  孔部
３４  試験器                ３５  挿入孔              ３７  支柱
５０  検査員                ５１  試験器              ５３  トンネル
５５  炎検知器
【図１】
2011209894.tif 000003
【図２】
2011209894.tif 000004
【図３】
2011209894.tif 000005
【図４】
2011209894.tif 000006
【図５】
2011209894.tif 000007
【図６】
2011209894.tif 000008
【図７】
2011209894.tif 000009